【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】  燃料供給源からファスナ打込み工具の燃焼室の中へ計量された所定量の燃料を小出し供給するために、ファスナ打込み工具の工具棒と共に使用される絞り弁組立体であって：
燃料供給源から工具燃焼室の方へ計量された所定量の燃料を小出し供給するために、当該絞り弁の取入れ口端部で燃料供給源に作動可能に接続された絞り弁と；
前記絞り弁の吐出端部に固定的に取り付けられて、ファスナ打込み工具の工具棒と流体的に協働するようにされた絞り弁棒であって、その際前記工具棒は、計量された所定量の燃料を該絞り弁棒から該工具棒を通して工具燃焼室内へ小出し供給するための流体通路を形成している、絞り弁棒と；
前記絞り弁棒に取り付けられて、ファスナ打込み工具の工具棒との封止係合状態で配設されるようにされたエラストマーアダプタであって、前記のように取り付けられて配設されることによって、前記絞り弁棒と工具棒との間に起こり得る相対運動に関係なく、前記絞り弁から工具燃焼室へ至る封止された流体通路を形成するエラストマーアダプタと；を具備する絞り弁組立体において、
前記エラストマーアダプタが、縦軸線の周りに形成された管状本体部と、座ぐり部と、円錐台状に形成された環状縁部分とを具備しており、前記座ぐり部は、前記絞り弁棒の前端部を収容するために前記管状本体部内に形成され且つ前端壁部を有するものであり、前記前端壁部は、前記管状本体部の前記座ぐり部の内側に前記絞り弁棒の前記前端部を適切に着座させて、前記絞り弁棒の前記前端部の前端面に当接する内側壁表面を提供するために、前記管状本体部の前記縦軸線にほぼ垂直に配設されており、前記円錐台状に形成された環状縁部分は、工具棒の対応して形作られた端壁との嵌合係合のために、前記管状本体部の前記前端壁部の外側壁表面に形成されて、前記絞り弁棒と工具棒との間に起こり得る相対運動に関係なくファスナ打込み工具の工具棒との間の封止された自在インターフェイスを提供する、絞り弁組立体。
【請求項２】  前記エラストマーアダプタが、前記絞り弁棒の端部に取り付けられるようになっている中空キャップ部材を含んで成るものであり、前記中空キャップ部材が、前記絞り弁棒を工具の工具棒に流体的に接続するために前記中空キャップ部材を貫いて形成される軸方向に延びる流体穴を有している、請求項１に記載の絞り弁組立体。
【請求項３】  燃料供給源からファスナ打込み工具の燃焼室の中へ計量された所定量の燃料を小出し供給するために、ファスナ打込み工具と共に使用される絞り弁と工具棒との組立体であって：
当該工具棒の中に形成されたほぼ円筒状の凹部と、円錐台状に形成された内側の端壁とを有する工具棒であって、ファスナ打込み工具に固定的に取り付けられて、ファスナ打込み工具の燃焼室に流体的に接続されるように構成されている工具棒と；
燃料供給源から工具燃焼室の方へ計量された所定量の燃料を小出し供給するために、当該絞り弁の取入れ口端部で燃料供給源に作動可能に接続された絞り弁と；
前記絞り弁の吐出端部に固定的に取り付けられて、ファスナ打込み工具の前記工具棒と流体的に協働するようにされた絞り弁棒であって、その際前記工具棒は、計量された所定量の燃料を該絞り弁棒から該工具棒を通して工具燃焼室内へ小出し供給するための流体通路を形成している、絞り弁棒と；
前記絞り弁棒に取り付けられて、ファスナ打込み工具の前記工具棒の前記凹部との封止係合状態で配設されるようにされたエラストマーアダプタであって、前記のように取り付けられて配設されることによって、前記絞り弁棒と前記工具棒との間に起こり得る相対運動に関係なく、前記絞り弁から工具燃焼室へ至る封止された流体通路を形成するエラストマーアダプタと；を具備する絞り弁と工具棒との組立体において、
前記エラストマーアダプタが、縦軸線の周りに形成された管状本体部と、座ぐり部と、円錐台状に形成された環状縁部分とを具備しており、前記管状本体部は、前記工具棒の前記ほぼ円筒状の凹部の中に配設されるためのものであり、前記座ぐり部は、前記絞り弁棒の前端部を収容するために前記管状本体部内に形成され且つ前端壁部を有するものであり、前記前端壁部は、前記管状本体部の前記座ぐり部の内側に前記絞り弁棒の前記前端部を適切に着座させて、前記絞り弁棒の前記前端部の前端面に当接する内側壁表面を提供するために、前記管状本体部の前記縦軸線にほぼ垂直に配設されており、前記円錐台状に形成された環状縁部分は、前記工具棒の前記円錐台状に形成された内側の端壁との嵌合係合のために、前記管状本体部の前記前端壁部の外側壁表面に形成されて、前記絞り弁棒と前記工具棒との間に起こり得る相対運動に関係なくファスナ打込み工具の前記工具棒との間の封止された自在インターフェイスを提供する、絞り弁と工具棒との組立体。
【請求項４】  前記工具棒が軸方向に延びている棒部分を具備していて、前記棒部分が、ファスナ打込み工具の燃焼室へ流体的に接続されるようになっている第一端部と、前記絞り弁棒に取り付けられた前記エラストマーアダプタを使って流体的に封止されるようになっている反対側の第二端部上に一体で形作られている頭部とをもっている、請求項３に記載の絞り弁と工具棒との組立体。
【請求項５】  前記工具棒の前記軸方向に延びる棒部分が、該棒部分の中に形成された軸方向に延びる流体通路をもっており；及び
前記流体的に封止された様態で前記エラストマーアダプタを収容するために、前記工具棒の前記頭部が、前記頭部の中に座ぐり様態で形成された前記凹部であって、前記工具棒の前記軸方向に延びる棒部分の中に形成された前記軸方向に延びる流体通路に流体的に接続されている前記凹部をもっている、請求項４に記載の絞り弁と工具棒との組立体。
【請求項６】  前記工具棒の前記頭部の中に形成された座ぐり凹部が、前記座ぐり凹部への入り口領域の近くの中にほぼ円筒の形状と、前記軸方向に延びる棒部分の中に形成された前記軸方向に延びる流体通路に流体的に接続された下流の端部に前記内側の円錐台形状とをもっている、請求項５に記載の絞り弁と工具棒との組立体。
【請求項７】  前記エラストマーアダプタが、前記絞り弁棒の端部に取り付けられるようになっている中空キャップ部材を含んで成るものであり、前記中空キャップ部材が、前記絞り弁棒を前記工具棒の前記軸方向に延びる棒部分の中に形成された前記軸方向に延びる流体通路に流体的に接続するために前記中空キャップ部材を貫いて形成される軸方向に延びる流体穴を有している、請求項５に記載の絞り弁と工具棒との組立体。
【請求項８】  燃焼圧力作動式ファスナ打込み工具であって：
燃焼室と；
前記燃焼室内に注入される燃料を収容する燃料セルと；
当該工具棒の中に形成されたほぼ円筒状の凹部と、円錐台状に形成された内側の端壁とを有する工具棒であって、前記ファスナ打込み工具の前記燃焼室の方へ至る燃料流体通路を部分的に形成するために、前記ファスナ打込み工具に固定的に取り付けられている工具棒と；
前記燃料セルから燃料を受け取るために、及び前記計量された所定量の燃料が前記ファスナ打込み工具の前記燃焼室の中に注入されることが可能であるように前記燃料セルから前記ファスナ打込み工具の前記燃焼室の方へ計量された所定量の燃料を小出し供給するために、当該絞り弁の取入れ口端部で前記燃料セルに作動可能に取り付けられた絞り弁と；
前記絞り弁の吐出端部に固定的に取り付けられて、ファスナ打込み工具の前記工具棒と流体的に協働するようにされた絞り弁棒であって、その際前記工具棒は、前記計量された所定量の燃料を該絞り弁棒から該工具棒を通して前記ファスナ打込み工具の燃焼室内へ小出し供給するための流体通路を形成している、絞り弁棒と；
前記絞り弁棒に取り付けられて、ファスナ打込み工具の前記工具棒の前記凹部との封止係合状態で配設されるようにされたエラストマーアダプタであって、前記のように取り付けられて配設されることによって、前記絞り弁棒と前記工具棒との間に起こり得る相対運動に関係なく、前記絞り弁から工具燃焼室へ至る封止された流体通路を形成するエラストマーアダプタと；を具備する燃焼圧力作動式ファスナ打込み工具において、
前記エラストマーアダプタが、縦軸線の周りに形成された管状本体部と、座ぐり部と、円錐台状に形成された環状縁部分とを具備しており、前記管状本体部は、前記工具棒の前記ほぼ円筒状の凹部の中に配設されるものであり、前記座ぐり部は、前記絞り弁棒の前端部を収容するために前記管状本体部内に形成され且つ前端壁部を有するものであり、前記前端壁部は、前記管状本体部の前記座ぐり部の内側に前記絞り弁棒の前記前端部を適切に着座させて、前記絞り弁棒の前記前端部の前端面に当接する内側壁表面を提供するために、前記管状本体部の前記縦軸線にほぼ垂直に配設されており、前記円錐台状に形成された環状縁部分は、前記工具棒の前記円錐台状に形成された内側の端壁との嵌合係合のために、前記管状本体部の前記前端壁部の外側壁表面に形成されて、前記絞り弁棒と前記工具棒との間に起こり得る相対運動に関係なく前記ファスナ打込み工具の前記工具棒との間の封止された自在インターフェイスを提供する、燃焼圧力作動式ファスナ打込み工具。
【請求項９】  前記工具棒が軸方向に延びている棒部分を具備していて、前記棒部分が、前記ファスナ打込み工具の燃焼室へ流体的に接続されるようになっている第一端部と、前記絞り弁棒に取り付けられた前記エラストマーアダプタを使って流体的に封止されるようになっている反対側の第二端部上に一体で形作られている頭部とをもっている、請求項８に記載の燃焼圧力作動式ファスナ打込み工具。
【請求項１０】  前記工具棒の前記軸方向に延びる棒部分が、該棒部分の中に形成された軸方向に延びる流体通路をもっており；及び
前記流体的に封止された様態で前記エラストマーアダプタを収容するために、前記工具棒の前記頭部が、前記頭部の中に座ぐり様態で形成された前記凹部であって、前記工具棒の前記軸方向に延びる棒部分の中に形成された前記軸方向に延びる流体通路に流体的に接続されている前記凹部をもっている、請求項９に記載の燃焼圧力作動式ファスナ打込み工具。
【請求項１１】  前記工具棒の前記頭部の中に形成された座ぐり凹部が、前記座ぐり凹部への入り口領域の近くの中にほぼ円筒の形状と、前記軸方向に延びる棒部分の中に形成された前記軸方向に延びる流体通路に流体的に接続された下流の端部に前記内側の円錐台形状とをもっている、請求項１０に記載の燃焼圧力作動式ファスナ打込み工具。
【請求項１２】  前記エラストマーアダプタが、前記絞り弁棒の端部に取り付けられるようになっている中空キャップ部材を含んで成るものであり、前記中空キャップ部材が、前記絞り弁棒を前記工具棒の前記軸方向に延びる棒部分の中に形成された前記軸方向に延びる流体通路に流体的に接続するために前記中空キャップ部材を貫いて形成される軸方向に延びる流体穴を有している、請求項１０に記載の燃焼圧力作動式ファスナ打込み工具。